(57)【要約】      （修正有）【課題】電気的電子式マッサージ技術にそしてより具体的には一体型の試料ディスペンサーを持った肌処置装置を提供する。【解決手段】一体型の試料ディスペンサー１４を持った電子式肌処置装置が開示され、それで試料ディスペンスを、超音波の振動、機械的なマッサージング動き、ガルバニック刺激、または光照射が使用される間、同時に目標肌領域に適用することができそして然るが故にカスタマイズ可能である、より容易なそしていっそうよい肌美化を達成することができる。【選択図】図１
2012183306.tif 000002
【特許請求の範囲】
【請求項１】
一連の超音波振動を適用することによる、そして試料を目標肌領域にディスペンスすることによる肌処置のために使用される、収納本体を持った装置であって、
前記目標肌領域を超音波発生器によって発生される超音波振動で処置するための肌処置部材と、
当該肌処置部材に埋め込まれた試料出口であって、前記目標肌領域に当該出口を通ってディスペンスされる予定である試料を含有している容器に連結されている当該試料出口と、を備え、
当該試料は、前記目標肌に面している当該処置部材の表面における一端で終わりそして当該収納本体の内にある他端で終わる導管を通過して当該出口を通ってディスペンスされ、
当該容器は、電気的インターフェースおよび一以上の電気的接触を通して電子式制御ユニットと電気的に接続され、当該制御ユニットは、当該肌処置部材の超音波振動および当該容器の試料のディスペンスを集合的に制御する、使用者インターフェースならびにいくつかの電気的回路および半導体部品を備え、そして
当該超音波発生器、当該制御ユニット、当該電気的接触、ならびに当該電気的回路および当該半導体部品はすべて、当該装置の収納本体の内に一体化されている、装置。
【請求項２】
当該試料は、液体、ゲル、美容液、クリーム、化粧水、ペーストおよび粉末のうちの何れかである、請求項１記載の装置。
【請求項３】
当該容器は、
取外し可能であるそして取替え可能であるディスペンサー、
再充満可能であるディスペンサー、使い捨てのそしてただ一回使用のためだけのディスペンサー、
同じまたは異なった試料を含有している複数の副ディスペンサーを持っている一体型のディスペンサーであって、当該副ディスペンサーはその中の試料をディスペンスするように個々に選択されるようになっており、
同じまたは異なった試料を含有している複数の試料区分室を持った一体型のディスペンサーであって、当該区分室のおのおのはその中の試料をディスペンスするように個々に選択されるようになっており、
当該収納本体の内に存する一体型のディスペンサー、および
外部的に当該収納本体に取りつけられる一体型のディスペンサー、のうちの何れかである、請求項１記載の装置。
【請求項４】
当該容器は、操作上のデータを格納するために埋め込まれたデータ格納装置を備え、
当該制御ユニットは、視覚の、肌接触のまたは音の効果を通して情報を使用者に表示するために当該容器の中に格納されたデータを受け取る能力がありそして当該格納装置の中に格納されたデータによって決定される特定の方法で当該肌処置部材を操作するために当該容器の中に格納されたデータを受け取る能力があり、
当該制御ユニットは、当該容器の中に格納される予定であるデータを送る能力があり、そして
当該容器の中に格納されたデータは、再取出し可能である、請求項１記載の装置。
【請求項５】
当該制御ユニットは、当該肌処置部材の操作方法を規定するために操作上の情報を格納する埋め込まれたデータ格納装置を備え、
当該操作上の情報は、操作データ、使用者肌状態データ、使用者個人用情報、および容器識別データのうちの何れかであり、そして
当該制御ユニットは、視覚の、肌接触のまたは音の効果を通して当該情報を使用者に表示する能力がある、請求項１記載の装置。
【請求項６】
一連の物理的動きを適用することによる、そして試料を目標肌領域にディスペンスすることによる肌処置のために使用される、収納本体を持った装置であって、
前記目標肌領域を電気的に駆動される発生器によって発生される一連の動きで処置するための肌処置部材と、
当該肌処置部材に埋め込まれた試料出口であって、当該目標肌領域に当該出口を通ってディスペンスされる予定である試料を含有している容器に連結されている当該試料出口と、を備え、
当該試料は、当該目標肌に面している当該処置部材の表面における一端で終わりそして当該収納本体の内にある他端で終わる導管を通過して当該出口を通ってディスペンスされ、
当該容器は、電気的インターフェースおよび一以上の電気的接触を通して電子式制御ユニットと電気的に連結され、
当該制御ユニットは、当該肌処置部材の動きおよび当該容器の試料のディスペンスを集合的に制御する、使用者インターフェースならびにいくつかの電気的回路および半導体部品を備え、
当該発生器、当該制御ユニット、当該電気的接触、ならびに当該電気的回路および当該半導体部品はすべて、当該装置の収納本体の内に一体化されており、そして
当該試料は、液体、ゲル、美容液、クリーム、化粧水、ペーストおよび粉末のうちの何れかである、装置。
【請求項７】
当該容器は、
取外し可能であるそして取替え可能であるディスペンサー、
再充満可能であるディスペンサー、使い捨てのそしてただ一回使用のためだけのディスペンサー、
同じまたは異なった試料を含有している複数の副ディスペンサーを持っている一体型のディスペンサーであって、当該副ディスペンサーはその中の試料をディスペンスするように個々に選択されるようになっており、
同じまたは異なった試料を含有している複数の試料区分室を持った一体型のディスペンサーであって、当該区分室のおのおのはその中の試料をディスペンスするように個々に選択されるようになっており、
当該収納本体の内に存する一体型のディスペンサー、および
外部的に当該収納本体に取りつけられる一体型のディスペンサー、のうちの何れかである、請求項６記載の装置。
【請求項８】
当該容器は、操作上のデータを格納するために埋め込まれたデータ格納装置を備え、
当該制御ユニットは、視覚の、肌接触のまたは音の効果を通して情報を使用者に表示するために当該容器の中に格納されたデータを受け取る能力がありそして当該格納装置の中に格納されたデータによって決定される特定の方法で当該肌処置部材を操作するために当該容器の中に格納されたデータを受け取る能力があり、
当該制御ユニットは、当該容器の中に格納される予定であるデータを送る能力があり、そして
当該容器の中に格納されたデータは、再取出し可能である、請求項６記載の装置。
【請求項９】
当該制御ユニットは、当該肌処置部材の操作方法を規定するために操作上の情報を格納する埋め込まれたデータ格納装置を備え、
当該操作上の情報は、操作データ、使用者肌状態データ、使用者個人用情報、および容器識別データのうちの何れかであり、そして
当該制御ユニットは、視覚の、肌接触のまたは音の効果を通して当該情報を使用者に表示する能力がある、請求項６記載の装置。
【請求項１０】
当該肌処置部材は、
ブラシヘッド、
処置表面を持った肌マッサージング先端、
前記目標肌領域と接触するために突き出ている構造を持った動く表面、および
前記目標肌領域と接触するために突き出ている構造を持った動かない表面、のうちの何れかであることができる、請求項６記載の装置。
【請求項１１】
当該動きは、振動する、脈動する、回転する、タップする、洗う、広げるおよび引き締めるのうちの何れかであることができる、請求項６記載の装置。
【請求項１２】
一連のガルバニック刺激を適用することによる、そして試料を目標肌領域にディスペンスすることによる肌処置のために使用される、収納本体を持った装置であって、
当該目標肌領域を発生器によって発生されるガルバニック刺激で処置するための一以上の電極を持った肌処置部材と、
当該肌処置部材に埋め込まれた試料出口であって、当該目標肌領域に前記当該出口を通ってディスペンスされる予定である試料を含有している容器に連結されている当該試料出口と、を備え、
当該試料は、当該目標肌に面している当該処置部材の表面における一端で終わりそして当該収納本体の内にある他端で終わる導管を通過して当該出口を通ってディスペンスされ、
当該容器は、電気的インターフェースおよび一以上の電気的接触を通して電子式制御ユニットと電気的に連結され、
当該制御ユニットは、当該肌処置部材のガルバニック刺激および当該容器の試料のディスペンスを集合的に制御する、使用者インターフェースならびにいくつかの電気的回路および半導体部品を備え、
当該発生器、当該制御ユニット、当該電気的接触、ならびに当該電気的回路および当該半導体部品はすべて、当該装置の収納本体の内に一体化されており、
当該試料は、液体、ゲル、美容液、クリーム、化粧水、ペーストおよび粉末のうちの何れかである、装置。
【請求項１３】
当該容器は、
取外し可能であるそして取替え可能であるディスペンサー、
再充満可能であるディスペンサー、使い捨てのそしてただ一回使用のためだけのディスペンサー、
同じまたは異なった試料を含有している複数の副ディスペンサーを持っている一体型のディスペンサーであって、当該副ディスペンサーはその中の試料をディスペンスするように個々に選択されるようになっており、
同じまたは異なった試料を含有している複数の試料区分室を持った一体型のディスペンサーであって、当該区分室のおのおのはその中の試料をディスペンスするように個々に選択されるようになっており、
当該収納本体の内に存する一体型のディスペンサー、および
外部的に当該収納本体に取りつけられる一体型のディスペンサー、のうちの何れかである、請求項１２記載の装置。
【請求項１４】
当該容器は、操作上のデータを格納するために埋め込まれたデータ格納装置を備え、
当該制御ユニットは、視覚の、肌接触のまたは音の効果を通して情報を使用者に表示するために当該容器の中に格納されたデータを受け取る能力がありそして当該格納装置の中に格納されたデータによって決定される特定の方法で当該肌処置部材を操作するために当該容器の中に格納されたデータを受け取る能力があり、
当該制御ユニットは、当該容器の中に格納される予定であるデータを送る能力があり、そして
当該容器の中に格納されたデータは、再取出し可能である、請求項１２記載の装置。
【請求項１５】
当該制御ユニットは、当該肌処置部材の操作方法を規定するために操作上の情報を格納する埋め込まれたデータ格納装置を備え、
当該操作上の情報は、操作データ、使用者肌状態データ、使用者個人用情報、および容器識別データのうちの何れかであり、そして
当該制御ユニットは、視覚の、肌接触のまたは音の効果を通して当該情報を使用者に表示する能力がある、請求項１２記載の装置。
【請求項１６】
光照射を適用することによる、そして試料を目標肌領域にディスペンスすることによる肌処置のために使用される、収納本体を持った装置であって、
前記目標肌領域を光制御器によって駆動される一以上の点灯ユニットによって発生される光照射で処置するための点灯ハウスを持った肌処置部材と、
当該肌処置部材に埋め込まれた試料出口であって、前記目標肌領域に前記当該出口を通ってディスペンスされる予定である試料を含有している容器に連結されている当該試料出口と、を備え、
当該試料は、当該目標肌に面している当該処置部材の表面における一端で終わりそして当該収納本体の内にある他端で終わる導管を通過して当該出口を通ってディスペンスされ、
当該容器は、電気的インターフェースおよび一以上の電気的接触を通して電子式制御ユニットと電気的に連結され、
当該制御ユニットは、当該肌処置部材の光照射および当該容器の試料のディスペンスを集合的に制御する、使用者インターフェースならびにいくつかの電気的回路および半導体部品を備え、そして
当該制御ユニット、当該点灯ユニット、当該電気的接触、ならびに当該電気的回路および当該半導体部品はすべて、当該装置の収納本体の内に一体化されている、装置。
【請求項１７】
当該試料は、液体、ゲル、美容液、クリーム、化粧水、ペーストおよび粉末のうちの何れかである、請求項１６記載の装置。
【請求項１８】
当該容器は、
取外し可能であるそして取替え可能であるディスペンサー、
再充満可能であるディスペンサー、使い捨てのそしてただ一回使用のためだけのディスペンサー、
同じまたは異なった試料を含有している複数の副ディスペンサーを持っている一体型のディスペンサーであって、当該副ディスペンサーはその中の試料をディスペンスするように個々に選択されるようになっており、
同じまたは異なった試料を含有している複数の試料区分室を持った一体型のディスペンサーであって、当該区分室のおのおのはその中の試料をディスペンスするように個々に選択されるようになっており、
当該収納本体の内に存する一体型のディスペンサー、および
外部的に当該収納本体に取りつけられる一体型のディスペンサー、のうちの何れかである、請求項１６記載の装置。
【請求項１９】
当該容器は、操作上のデータを格納するために埋め込まれたデータ格納装置を備え、
当該制御ユニットは、視覚の、肌接触のまたは音の効果を通して情報を使用者に表示するために当該容器の中に格納されたデータを受け取る能力がありそして当該格納装置の中に格納されたデータによって決定される特定の方法で当該肌処置部材を操作するために当該容器の中に格納されたデータを受け取る能力があり、
当該制御ユニットは、当該容器の中に格納される予定であるデータを送る能力があり、そして
当該容器の中に格納されたデータは、再取出し可能である、請求項１６記載の装置。
【請求項２０】
当該制御ユニットは、当該肌処置部材の操作方法を規定するために操作上の情報を格納する埋め込まれたデータ格納装置を備え、
当該操作上の情報は、操作データ、使用者肌状態データ、使用者個人用情報、および容器識別データのうちの何れかであり、そして
当該制御ユニットは、視覚の、肌接触のまたは音の効果を通して当該情報を使用者に表示する能力がある、請求項１６記載の装置。
【発明の詳細な説明】
【技術分野】
【０００１】
本発明は、一般的に電気的電子式マッサージ技術にそしてより具体的には一体型の試料ディスペンサーを持った肌処置装置にかかわる。
【背景技術】
【０００２】
電子式装置を用いての肌処置は、ただクリーム、化粧水および美容液製品だけの塗布よりいっそうよい結果を達成する肌美化プロセスを高める広く受け入れられている方法である。装置は通常、クリームまたは化粧水または美容液製品の内にある化学的な分子を活性化するのを促進するか、またはこのような分子がなおそのうえに肌に浸透するのを肌細胞を興奮させて細胞の中への化学的な経路を広げることによって促進するかの人間の肌に対してのある種の物理的手段を導入する。
【０００３】
前記発明者は、次に述べる一覧表は適切な先行技術であると思う：（１）Ｙ．ミツ，“電気泳動装置，超音波の顔面の刺激器，および化粧品添加物を使用する肌美化化粧品システム”，特許番号ＵＳ７，４２７，２７３Ｂ２（２００８）；（２）Ｍ．ヌノムラ，およびＴ．オバ，“超音波適用肌手入れ装置”，公開番号ＵＳ２００６／０１４９１６９（２００６）；（３）Ｕ．モトヨシ，“超音波の美顔美容器”，公開番号ＪＰ２００７０５０２０４（Ａ）（２００７）；（４）Ｈ．ヒサオ，“超音波の美顔器”，公開番号ＪＰ２００１３１４４７３（Ａ）（２００１）；（５）Ｊ．リード，およびその他，“超音波に基礎づけられた化粧品治療方法および機器”，公開番号ＵＳ２００９／０３１８８５３（２００９）；（６）Ｄ．Ｇ．カーン，“ガルバニック電流肌処置”，公開番号ＵＳ２００７／０１８５４３１Ａ１（２００７）；および（７）Ｚ．ゲバ，およびその他，“多重塗布肌手入れシステム”，公開番号ＵＳ２０１１／０１０６０６７Ａ１（２０１１）。
【０００４】
肌に効くように導入される物理的手段は、超音波、駆動ブラッシング、駆動振動、駆動タッピング、電気の電流および光照射を包含してもさしつかえない。これらの電気的に駆動される物理的手段は、肌処置プロセスの効率を増す。
【０００５】
しかしながら、先行技術装置において、化粧水、クリームおよび美容液製品（下文に“化粧水”と呼ばれる  ）は肌を処置するよりも前に、外部的に目標肌領域にかまたは直接に電子式装置の、肌処置表面の上へか塗布される。ほかの先行技術装置において、化粧水はまた、それ自身もまた主な装置に処置よりも前に取りつけられ各処置のあとに処分されることを必要とする肌処置素子である外部的に取りつけられるディスペンサーによっても塗布される。あらゆるこれらの先行技術装置において、化粧水は、電子式装置から分離される化粧水容器から塗布されるかまたは外部的に電子式装置に取りつけられるかであるが、それらはすべて、使用者の両手での操作を処置よりも前に化粧水を塗布するまたは容器を据え付けるために必要とする。このプロセスは、先行技術装置での肌処置を片手操作が一般的に必要とされる絶えず活動しての使用法にふさわしくなくする。
【０００６】
そのうえに、あらゆる先行技術装置は、ただ所定の成分の肌手入れ試料を使用するだけで各種々の使用者自身の肌状態に従っての成分の調整を許さない。
【０００７】
先行技術は、処置プロセスよりも前の準備を必要としない機能上装置それ自身の部分である一体型の試料ディスペンサーを含有せず、それが欠けているので先行技術装置の携帯性および装置をいつでもどこでもの目的のために使用する性能は限られている。
【０００８】
強く望まれるものは、電子式マッサージ装置のための一体型の試料ディスペンサーである。
【先行技術文献】
【特許文献】
【０００９】
【特許文献１】Ｙ．ミツ，“電気泳動装置，超音波の顔面の刺激器，および化粧品添加物を使用する肌美化化粧品システム”，特許番号ＵＳ７，４２７，２７３Ｂ２（２００８）
【特許文献２】Ｍ．ヌノムラ，およびＴ．オバ，“超音波適用肌手入れ装置”，公開番号ＵＳ２００６／０１４９１６９（２００６）
【特許文献３】Ｕ．モトヨシ，“超音波の美顔美容器”，公開番号ＪＰ２００７０５０２０４（Ａ）（２００７）
【特許文献４】Ｈ．ヒサオ，“超音波の美顔器”，公開番号ＪＰ２００１３１４４７３（Ａ）（２００１）
【特許文献５】Ｊ．リード，およびその他，“超音波に基礎づけられた化粧品治療方法および機器”，公開番号ＵＳ２００９／０３１８８５３（２００９）
【特許文献６】Ｄ．Ｇ．カーン，“ガルバニック電流肌処置”，公開番号ＵＳ２００７／０１８５４３１Ａ１（２００７）
【特許文献７】Ｚ．ゲバ，およびその他，“多重塗布肌手入れシステム”，公開番号ＵＳ２０１１／０１０６０６７Ａ１（２０１１）
【発明の概要】
【００１０】
一体型の試料ディスペンサーを導入することによって、さまざまなタイプの電子式肌処置装置は、カスタマイズされた肌処置というはるかにいっそうよい携帯性、適応性および可能性を得ることができる。この一体型の試料ディスペンサーはまた、種々の使用者自身の肌状態に従ってのカスタマイズされた肌手入れ試料を合成するために使用されてもさしつかえない。
【００１１】
この発明のさまざまな実施態様において、我々は、さまざまな電子式肌処置装置の内に一体化されている肌処置試料ディスペンサーを記述した。
【００１２】
いつでもどこでもの肌処置を可能にする超携帯用衛生解決策を与えるために肌処置試料ディスペンサーを肌処置電子式装置と一体化するのが、この発明の目的である。
【００１３】
肌処置装置の携帯性、適応性およびカスタマイズ性をなおそのうえに高めるために試料ディスペンサーを電気的インターフェースとともに使用し、そして肌処置プロセスも処置プロセスよりも前の肌手入れ試料準備も両者ともを個人的にするのが、まだそのうえに別のこの発明の目的である。
【図面の簡単な説明】
【００１４】
【図１】図１Ａは、本発明の第一の好ましい実施態様による装置の正面図を説明する概略図である；図１Ｂは、本発明の第一の好ましい実施態様による装置の断面図を説明する概略図である；
【図２】図２Ａは、本発明の第二の好ましい実施態様による装置の正面図を説明する概略図である；図２Ｂは、本発明の第二の好ましい実施態様による装置の断面図を説明する概略図である；
【図３】図３Ａは、本発明の第三の好ましい実施態様による装置の正面図を説明する概略図である；図３Ｂは、本発明の第三の好ましい実施態様による装置の断面図を説明する概略図である；
【図４】図４Ａは、本発明の第四の好ましい実施態様による装置の正面図を説明する概略図である；図４Ｂは、本発明の第四の好ましい実施態様による装置の断面図を説明する概略図である；
【図５】図５Ａは、本発明の第五の好ましい実施態様による装置の正面図を説明する概略図である；図５Ｂは、本発明の第五の好ましい実施態様による装置の断面図を説明する概略図である；
【図６（Ａ）】図６Ａは、本発明による装置の典型的な外形を説明する概略図である；
【図６（Ｂ）】図６Ｂは、無線の再充電器に置かれる前記装置の斜視図を説明する概略図である；そして
【図６（Ｃ）】図６Ｃは、図６Ｂの側面図を説明する概略図である。
【発明を実施するための形態】
【００１５】
本発明が多数の異なった様式、デザインまたは構成で実施されてもさしつかえないとは言え、前記発明の原理の理解を促進するという目的上、図面で説明される実施態様への参照がされて特定の文言が同上のものを記述するために用いられるだろう。前記発明の範囲の限定または制限がそれによって意図されないことは、それにもかかわらず理解されるだろう。前記発明と関連がある技術の当業者であれば標準的に頭に浮かぶような、ここに記述するところによる前記発明の原理の任意の変更およびそれ以上の実施が、予期される。
【００１６】
第一の実施態様
図１Ａおよび図１Ｂは目下の発明の第一の好ましい実施態様を説明し、そしてそこに試料ディスペンサーは超音波肌処置装置の内に一体化されている。図１Ａは、提案される装置の正面図を示す。図１Ｂは、図１Ａの中心線１０１に沿っての断面の図を示す。
【００１７】
第一の実施態様、それはこの発明の最良の態様を表わすが、は次に述べる様相を含有する：（１）金属、合金またはプラスチック製品でできている収納本体１１；（２）肌となめらかな処置表面１３で接触して超音波発生器１６によって発生される超音波の振動を目標肌領域に伝達するための超音波伝達板１２；（３）液体、ゲル、クリーム、ペーストおよび粉末であることができるが、しかしそれらに限定されない肌処置試料１９を含有するディスペンサー１４と集合的に呼ばれる、肌処置試料容器およびディスペンサー；（４）超音波伝達板１２の同じ連続的な表面１３に存在している試料出口１５、そしてそれを通って肌処置試料１９は、肌と肌処置中に接触がある予定である表面１３に近くまたは、好ましくは、直接にその上部にディスペンスされる；（５）電気的回路、電子式部品および必要な埋め込まれたソフトウェアを含有している電子式制御ユニット１７は、収納本体１１の内に存在する；そして（６）電気的インターフェース１８は、超音波発生器１６の実行は電子式制御ユニット１７によって制御することができるように超音波発生器１６と電子式制御ユニット１７との間に存在する。電子式制御ユニット１７は、１６からの超音波の発生を制御し、そしてまた使用者インターフェース、電源および充電機能を与えてもさしつかえない。そのうえに、電子式制御ユニット１７は、必要とされる肌処置手順をディスペンサー１４の電気的接触１４１と接続する別の電気的インターフェース１４０を通して達成するために電気的信号を試料ディスペンサー１４へ送るまたは電気的信号を試料ディスペンサー１４から受け取ってもさしつかえない。
【００１８】
最も好ましい態様において、収納本体は簡単保持卵形の形をしており機械的につなぎ合わせられている２個の連続的な部分−表および裏の部分−を包含する。試料出口１５は、直接に超音波の伝達板１２につながれた表の部分にある。使用において、裏の部分は、手のひら保持のためのものである。前記装置は無線の充電器を包含しだからそれは無線で充電することができる。それゆえ、試料出口１５を除いては、前記装置はほかに出口または接続子を持っていない。実施例として、図６Ａ〜図６Ｃは本発明による装置６０の典型的な外形を説明し、その中にそれは表の部分としての肌処置表面６２および処置表面６２の試料出口６５を含有する。装置６０は、それが再充電器フレーム６１に図６Ｂおよび図６Ｃにおいて示されるように置かれる時に無線で充電することができる。
【００１９】
ディスペンサー１４は、下記特徴のうちの何れを持っていてもさしつかえない：（１）ディスペンサー１４は取外し可能であることができる、言い換えれば、それは使用者によって取り出されて収納本体１１の中に据え付け戻されてもさしつかえない；（２）試料１９は、ディスペンサー１４の内に使用者によって試料の消耗のあとに肌美化プロセス中に補充されてもさしつかえない、すなわちディスペンサー１４は、再使用されてもさしつかえない；（３）ディスペンサー１４は使い捨てのそしてただ一回使用のためだけのものであってもさしつかえない、そしてそこに試料１９はディスペンサーの内に使用よりも前にあらかじめいっぱいにされる；（４）ディスペンサー１４は、前記ディスペンサーは含有される試料をディスペンスするように個々に選択することができるように同じまたは異なった試料を含有している複数のディスペンサーとして構成することができる；（５）ディスペンサー１４は、前記ディスペンサーの内にある各区分室は個々に選択して試料をディスペンスすることができるように、同じまたは異なった試料を含有してもさしつかえない複数の試料区分室を持った単一のディスペンサーとして構成することができる；（６）試料１９のディスペンシングは手作業で発揮されるディスペンサーへの力によって果たされ、そしてそれに基づいてディスペンサーの部分である圧力発生部品、たとえばリード、レバー、ゲージ、キャップ、ピストン、または伸縮するポーチ、は試料１９に強いてディスペンサーの外へ出口１５を通って流れさせる；（７）試料１９のディスペンシングは、ディスペンサーの部分であって収納１１本体の内に位置付けられる電気的インターフェース１４０によって操作される電気的に駆動される伝動機構によって果たされる；（８）試料１９のディスペンシングは、前記装置の部分であって制御ユニット１７によって電気的に制御される電気的に駆動される伝動機構によって果たされる。前記伝動機構は、試料１９に強いてディスペンサーの外へ出口１５を通って流れさせる。
【００２０】
言い換えれば、前記ディスペンサーは、取外し可能であるそして取替え可能であるディスペンサー；再充満可能であるディスペンサー；使い捨てのそしてただ一回使用のためだけのディスペンサー；同じまたは異なった試料を含有している複数の副ディスペンサーを持っている一体型のディスペンサーであって、前記副ディスペンサーはその中の試料をディスペンスするように個々に選択されるもの；および同じまたは異なった試料を含有している複数の試料区分室を持った一体型のディスペンサーであって、前記区分室のおのおのはその中の試料をディスペンスするように個々に選択されるもの、のうちの何れかであることができる。
【００２１】
ディスペンサー１４はまた、ディスペンサー１４の内に存在する一以上の電気的接触１４１とともに次に述べる特徴のうちの何れを持っていてもさしつかえない。
【００２２】
ディスペンサー１４は、電子式制御ユニット１７によって電気的インターフェース１４０および接触１４１を通して制御される埋め込まれた試料ディスペンシングまたはレリーシング機構を包含してもさしつかえない。
【００２３】
ディスペンサー１４は、埋め込まれたメモリーまたはデータ格納装置をつぎのような、しかしそれらに限定されない情報を格納するために包含してもさしつかえない：（１）試料ブランド、名前、タイプ、オリジナル、成分、製造日および失効日、前記ディスペンサーの内にある試料レベルならびに発注情報であることができるが、しかしそれらに限定されないディスペンサー１４の内に含有される試料の情報；（２）ディスペンサー１４の中に含有される試料１９が使用される予定である時に電子式制御ユニット１７を通して最適なまたはあらかじめ調節される超音波の発生器１６の操作上の態様の情報、そしてそこに前記操作上の態様はタイミング、超音波の振動強度および伝達板１２に発生される予定である操作の位置であることができるが、しかしそれらに限定されない；（３）異なったディスペンサー１４または単一のディスペンサーの内にある相違試料区分室の最適なまたはあらかじめ調節される操作上の態様の情報、そしてそこに前記操作上の態様は各異なったディスペンサーまたは各異なった区分室からの試料塗布のタイミング、各異なったディスペンサーまたは各異なった区分室からディスペンスされる予定である試料の量であることができるが、しかしそれらに限定されない；（４）前記装置、前記ディスペンサーおよび試料の履歴的な使用データの前記情報；および（５）使用者によって作成されるまたは入力される情報；および（６）使用者の人名情報。
【００２４】
電子式制御ユニット１７は、視覚の、肌接触のまたは音の効果を通して情報を使用者に表示するためにディスペンサー１４の中に格納されたデータを受け取ってもさしつかえない。
【００２５】
あるいは、電子式制御ユニット１７は、前記当該データの中に格納された情報によって決定される特定の方法で超音波の発生器１６を操作するためにディスペンサー１４の中に格納されたデータを受け取ってもさしつかえない。
【００２６】
制御ユニット１７はまた、装置操作データ、使用者肌情報データ、使用者個人用および生体認証情報、ディスペンサー識別データのような、しかしそれらに限定されない、情報を格納するために別の埋め込まれたメモリーまたはデータ格納装置を備えてもさしつかえない。このような格納される情報は、必要に応じアップデートされてもさしつかえない。制御ユニット１７はまた、超音波発生器１６はもちろん、ディスペンサー１４からの試料ディスペンシングを操作しそして制御するために制御ユニット１７およびディスペンサー１４の中に格納された全部の情報を利用する埋め込まれたプログラムを含有してもさしつかえない。このような埋め込まれたプログラムはまた、いっそうよい機能のためにアップデートされてもさしつかえない。
【００２７】
あるいは、電子式制御ユニット１７は、ディスペンサー１４の中に格納される予定であるデータを送ってもさしつかえない。
【００２８】
ディスペンサー１４は製造業によって取り戻されてもさしつかえなくそしてディスペンサー１４の内に格納されたデータは再取出しされてもさしつかえない。
【００２９】
図１Ａおよび１Ｂは収納本体１１の内に存しているディスペンサー１４を示すが、実際問題としてディスペンサー１４はまた外部的に収納本体１１に取りつけられてもさしつかえない。しかしながら、取りつけられた時に、化粧水１９はそれでも収納本体１１について内側から外側へ接続する導管を通って最後に出口１５を通ってディスペンスされる。だから、取りつけられたディスペンサー１４はそれでも、前記装置の一体式部分として機能する。
【００３０】
第二の実施態様
図２Ａおよび図２Ｂは本発明の第二の好ましい実施態様を説明し、そしてそこに試料ディスペンサーは肌処置のための電気的に駆動されるブラシ装置の内に一体化されている。図２Ａは前記装置の正面図を示しそして図２Ｂは図２Ａの中心線１０１に沿っての断面の図を示す。
【００３１】
この実施態様による装置は、次に述べる部品を包含する：（１）金属、合金またはプラスチック製品でできた収納本体２１；（２）ブラシヘッドドライバー２６によって駆動されそして制御される回転の、タップする、脈動するおよび振動運動のうちの何れかを肌処置中に得ることができる、ブラシヘッド２２；（４）ブラシヘッドに取りつけられている肌処置のためのさまざまなブラシ繊維２３；（５）液体、ゲル、クリーム、ペーストおよび粉末であることができるが、しかしそれらに限定されない、肌処置試料２９を含有する肌処置試料容器およびディスペンサー２４；（６）ブラシ繊維（複数の）２３が配列されるブラシヘッド表面の中へのクリアランスの形であるか、またはブラシヘッド表面からわずかにブラシ繊維の最大の長さより短い高さまで突出している管の形であるかである試料出口２５、そして試料出口２５を通って、試料２９はブラシヘッド２２の表面へそして、好ましくは、肌と肌処置中に接触がある予定であるブラシ繊維２３へディスペンスされる；（７）電気的回路、電子式部品および必要な埋め込まれたソフトウェアを含有している電子式制御ユニット２７は、収納本体２１の内に存在する；（８）ブラシヘッドドライバー２６の実行は電子式制御ユニット２７によって制御することができるようにブラシヘッドドライバー２６と電子式制御ユニット２７との間に存在する電気的インターフェース２８、そしてそこに電子式制御ユニット２７は、ブラシヘッド２２の動きをブラシヘッドドライバー２６を経て制御しそして、任意に、また使用者インターフェース、電源および充電機能を与えてもさしつかえない。そのうえに、電子式制御ユニット２７は、必要とされる肌処置手順をディスペンサー２４の電気的接触２４１と接続する別の電気的インターフェース２４０を通して達成するために電気的信号を試料ディスペンサー２４へ送るまたは電気的信号を試料ディスペンサー２４から受け取ってもさしつかえない。
【００３２】
ディスペンサー２４は、下記特徴のうちの何れを持っていてもさしつかえない：（１）ディスペンサー２４は取外し可能である、すなわち、それは使用者によって取り出されて収納本体２１の中に据え付け戻されてもさしつかえない；（２）試料２９は、ディスペンサー２４の内に使用者によって試料の消耗のあとに肌美化プロセス中に補充されてもさしつかえない、すなわちディスペンサー２４は、再使用されてもさしつかえない；（３）ディスペンサー２４は使い捨てのそしてただ一回使用のためだけのものであってもさしつかえない、そしてそこに試料２９はディスペンサーの内に使用よりも前にあらかじめいっぱいにされる；（４）ディスペンサー２４は、ディスペンサーは含有される試料をディスペンスするように個々に選択することができるように、同じまたは異なった試料を含有している複数のディスペンサーとして構成することができ１の収納本体２１の中に据え付けられてもさしつかえない；（５）ディスペンサー２４は、前記ディスペンサーの内にある各区分室は個々に選択して試料をディスペンスすることができるように、同じまたは異なった試料を含有してもさしつかえない複数の試料区分室を持った単一のディスペンサーとして構成することができる；（６）試料２９のディスペンシングは手作業で発揮されるディスペンサーへの力によって果たされ、そしてそれに基づいてディスペンサーの部分である圧力発生部品、たとえばリード、レバー、ゲージ、キャップ、ピストン、または伸縮するポーチ、は試料２９に強いてディスペンサーの外へ出口２５を通って流れさせる；そして（７）試料２９のディスペンシングは、ディスペンサーの部分であって収納２１本体の内に位置付けられる電気的インターフェース２４０によって操作される電気的に駆動される伝動機構によって果たされる；（８）試料２９のディスペンシングは、前記装置の部分であって制御ユニット２７によって電気的に制御される電気的に駆動される伝動機構によって果たされる。前記伝動機構は、試料２９に強いてディスペンサーの外へ出口２５を通って流れさせる。
【００３３】
ディスペンサー２４はまた、電子式制御ユニット２７で電気的インターフェース２４０およびディスペンサー２４の中に埋め込まれた一以上の電気的接触２４１を通して制御可能であるディスペンサー２４の内にある埋め込まれた試料ディスペンシングまたはレリーシング機構を包含してもさしつかえない。
【００３４】
ディスペンサー２４はまた、埋め込まれたメモリーまたはディスペンサー２４の内にあるデータ格納装置２４２をつぎのような、しかしそれらに限定されない情報を格納するために包含してもさしつかえない：
埋め込まれたメモリーまたはディスペンサー２４の内にあるデータ格納装置によってデジタル形式で格納される下記情報のうちの何れを含有してもさしつかえないデータ：（１）試料ブランド、名前、タイプ、オリジナル、成分、製造日および失効日、前記ディスペンサーの内にある試料レベルならびに発注情報、のようなしかしそれらに限定されない、前記ディスペンサーの内に含有される試料の情報；（２）タイミング、動きタイプ、動き強度およびブラシヘッド２２の動きのシーケンス、のようなしかしそれらに限定されない、ディスペンサー２４の中に含有される試料２９が使用される予定である時に電子式制御ユニット２７を通して最適なまたはあらかじめ調節されるブラシヘッド２２の操作上の態様の情報；（３）各異なったディスペンサーまたは各異なった区分室からの試料塗布のタイミング、各異なったディスペンサーまたは各異なった区分室からディスペンスされる予定である試料の量、のようなしかしそれらに限定されない、異なったディスペンサー２４または単一のディスペンサーの内にある相違試料区分室の最適なまたはあらかじめ調節される操作上の態様の情報；（４）前記装置、前記ディスペンサーおよび試料の履歴的な使用データの情報；（５）使用者によって作成されるまたは入力される情報；および（６）使用者の人名情報。
【００３５】
電子式制御ユニット２７は、視覚の、肌接触のまたは音の効果を通して情報を使用者に表示するためにディスペンサー２４の中に格納されたデータを受け取ってもさしつかえない。
【００３６】
電子式制御ユニット２７は、前記当該データの中に格納された情報によって決定される特定の方法でブラシヘッド２２を操作するためにディスペンサー２４の中に格納されたデータを受け取ってもさしつかえない；
制御ユニット２７はまた、装置操作データ、使用者肌情報データ、使用者個人用および生体認証情報、ディスペンサー識別データのような、しかしそれらに限定されない、情報を格納するために別の埋め込まれたメモリーまたはデータ格納装置を備えてもさしつかえない。このような格納される情報は、必要に応じアップデートされてもさしつかえない。制御ユニット２７はまた、ブラシヘッドドライバー２６はもちろん、ディスペンサー２４からの試料ディスペンシングを操作しそして制御するために制御ユニット２７およびディスペンサー２４の中に格納された全部の情報を利用する埋め込まれたプログラムを含有してもさしつかえない。このような埋め込まれたプログラムはまた、いっそうよい機能のためにアップデートされてもさしつかえない。
【００３７】
あるいは、電子式制御ユニット２７は、ディスペンサー１４の中に格納される予定であるデータを送ってもさしつかえない。
【００３８】
ディスペンサー２４は製造業によって取り戻されてもさしつかえなくそしてディスペンサー２４の内に格納されたデータは再取出しされてもさしつかえない。
【００３９】
図２Ａおよび２Ｂは収納本体２１の内に存しているディスペンサー２４を示すが、実際問題としてディスペンサー２４はまた外部的に収納本体２１に取りつけられてもさしつかえない。しかしながら、取りつけられた時に、化粧水２９はそれでも収納本体２１について内側から外側へ接続する導管を通って最後に出口２５を通ってディスペンスされる。だから、取りつけられたディスペンサー２４はそれでも、前記装置の一体式部分として機能する。
【００４０】
第三の実施態様
図３Ａおよび図３Ｂは目下の発明の第三の好ましい実施態様を説明し、そしてそこに試料ディスペンサーは電気的に駆動される肌処置のための肌マッサージング装置の内に一体化されている。図３Ａは、提案される装置の正面図を示す。図３Ｂは、図３Ａの中心線１０１に沿っての断面の図を示す。
【００４１】
前記実施態様は、次に述べる部品を含有する：（１）金属、合金またはプラスチック製品またはそれらの組合わせでできた収納本体３１；（２）肌と処置表面３３で接触して機械的なマッサージング動きを目標肌領域に伝達するための肌マッサージング先端３２、そしてそこに前記マッサージング先端のマッサージング動きは、振動、脈動する、回転、タップする、広げおよび引き締めであることができるが、しかしそれらに限定されない；（３）マッサージング動きを発生する動き発生器３６；（４）液体、ゲル、クリーム、ペーストおよび粉末であることができるが、しかしそれらに限定されない試料３９を含有する、下文にディスペンサー３４と集合的に呼ばれる、肌処置試料容器およびディスペンサー；（５）マッサージング先端３２の同じ連続的な表面３３に存在している試料出口３５、そしてそれを通って肌処置試料３９は、肌と肌処置中に接触がある予定であるマッサージング先端３２表面３３に近くまたは、好ましくは、直接にその上部にディスペンスされる；（６）電気的回路、電子式部品および必要な埋め込まれたソフトウェアを含有している電子式制御ユニット３７は、収納本体３１の内に存在する；および（７）マッサージング先端３２の実行は電子式制御ユニットによって制御することができるように動き発生器３６と電子式制御ユニット３７との間に位置付けられる電気的インターフェース３８。
【００４２】
電子式制御ユニット３７はマッサージング先端３２の動きを制御しそしてそれは、あるいは、また使用者インターフェース、電源および充電機能を与えてもさしつかえない。そのうえに、電子式制御ユニット３７は、前記必要とされる肌処置手順をディスペンサー３４の電気的接触３４１と接続する別の電気的インターフェース３４０を通して達成するために電気的信号を試料ディスペンサー３４へ送るまたは電気的信号を試料ディスペンサー３４から受け取ってもさしつかえない。
【００４３】
ディスペンサー３４は、下記特徴のうちの何れを持っていてもさしつかえない：（１）ディスペンサー３４は、使用者によって取り出されて収納本体３１の中に据え付け戻されてもさしつかえない；（２）試料３９は、ディスペンサー３４の内に使用者によって試料の消耗のあとに肌美化プロセス中に補充されてもさしつかえない、すなわちディスペンサー３４は、再使用されてもさしつかえない；（３）ディスペンサー３４は使い捨てのそしてただ一回使用のためだけのものであってもさしつかえない、そしてそこに試料３９はディスペンサーの内に使用よりも前にあらかじめいっぱいにされる；（４）ディスペンサー３４は、ディスペンサーは含有される試料をディスペンスするように個々に選択することができるように、同じまたは異なった試料を含有している複数のディスペンサーとして構成することができ単一の収納本体３１の中に据え付けられてもさしつかえない；（５）ディスペンサー３４は、前記ディスペンサーの内にある各区分室は個々に選択して試料をディスペンスすることができるように、同じまたは異なった試料を含有してもさしつかえない複数の試料区分室を持った単一のディスペンサーとして構成することができる；（６）試料３９のディスペンシングは手作業で発揮されるディスペンサーへの力によって果たされ、そしてそれに基づいてディスペンサーの部分である圧力発生部品、たとえばリード、レバー、ゲージ、キャップ、ピストン、または伸縮するポーチ、は試料３９に強いてディスペンサーの外へ出口３５を通って流れさせる；（７）試料３９のディスペンシングは、ディスペンサーの部分であって収納３１本体の内に位置付けられる電気的インターフェース３４０によって操作される電気的に駆動される伝動機構によって果たされる；（８）試料３９のディスペンシングは、前記装置の部分であって制御ユニット３７によって電気的に制御される電気的に駆動される伝動機構によって果たされる。前記伝動機構は、試料３９に強いてディスペンサーの外へ出口３５を通って流れさせる。
【００４４】
ディスペンサー３４はまた、ディスペンサー３４の中に埋め込まれた試料ディスペンシングまたはレリーシング機構を包含してもさしつかえない。前記埋め込まれた試料ディスペンシングまたはレリーシング機構は、電子式制御ユニット３７によって電気的インターフェース３４０およびディスペンサー３４の中に埋め込まれたさまざまな電気的接触３４１を通して制御される。
【００４５】
ディスペンサー３４はまた、埋め込まれたメモリーまたはデータ格納装置を、つぎのようなしかしそれらに限定される情報を格納するために包含してもさしつかえない：（１）試料ブランド、名前、タイプ、オリジナル、成分、製造日および失効日、前記ディスペンサーの内にある試料レベルならびに発注情報、のようなしかしそれらに限定されない、前記ディスペンサーの内に含有される試料の前記情報；（２）タイミング、動きタイプ、動き強度およびマッサージング先端３２の動きの前記シーケンス、のようなしかしそれらに限定されない、ディスペンサー３４の中に含有される試料３９が使用される予定である時に電子式制御ユニット３７を通して最適なまたはあらかじめ調節されるマッサージング先端３２の操作上の態様の情報；（３）各異なったディスペンサーまたは各異なった区分室からの試料塗布のタイミング、各異なったディスペンサーまたは各異なった区分室からディスペンスされる予定である試料の量、のようなしかしそれらに限定されない、異なったディスペンサー３４または単一のディスペンサーの内にある相違試料区分室の最適なまたはあらかじめ調節される操作上の態様の前記情報；（４）前記装置、前記ディスペンサーおよび試料の履歴的な使用データの前記情報；（５）使用者によって作成されるまたは入力される前記情報；および（６）使用者の前記人名情報。
【００４６】
電子式制御ユニット３７は、視覚の、肌接触のまたは音の効果を通して情報を使用者に表示するためにディスペンサー３４の中に格納されたデータを受け取ってもさしつかえない。
【００４７】
電子式制御ユニット３７は、あるいは、また前記当該データの中に格納された情報によって決定される特定の方法でマッサージング先端３２を操作するためにディスペンサー３４の中に格納されたデータを受け取ってもさしつかえない。
【００４８】
制御ユニット３７はまた、装置操作データ、使用者肌情報データ、使用者個人用および生体認証情報、ディスペンサー識別データのような、しかしそれらに限定されない、情報を格納するために別の埋め込まれたメモリーまたはデータ格納装置を備えてもさしつかえない。このような格納される情報は、必要に応じアップデートされてもさしつかえない。制御ユニット３７はまた、動き発生器３６はもちろん、ディスペンサー３４からの試料ディスペンシングを操作しそして制御するために制御ユニット３７およびディスペンサー３４の中に格納された全部の情報を利用する埋め込まれたプログラムを含有してもさしつかえない。このような埋め込まれたプログラムはまた、いっそうよい機能のためにアップデートされてもさしつかえない。
【００４９】
電子式制御ユニット３７は、ディスペンサー３４の中に格納される予定であるデータを送ってもさしつかえない。
【００５０】
ディスペンサー３４は製造業によって取り戻されてもさしつかえなくそしてディスペンサー３４の内に格納されたデータは再取出しされてもさしつかえない。
【００５１】
図３Ａおよび３Ｂは収納本体３１の内に存しているディスペンサー３４を示すが、実際問題としてディスペンサー３４はまた外部的に収納本体３１に取りつけられてもさしつかえない。しかしながら、取りつけられた時に、化粧水３９はそれでも収納本体３１について内側から外側へ接続する導管を通って最後に出口３５を通ってディスペンスされる。だから、取りつけられたディスペンサー３４はそれでも、前記装置の一体式部分として機能する。
【００５２】
第四の実施態様
図４Ａおよび図４Ｂは目下の発明の第四の好ましい実施態様を説明し、そしてそこに試料ディスペンサーは肌表面に沿っておよび／または肌細胞を通って流れている電気の電流を生じさせる電気的に駆動されるガルバニック肌処置装置の内に一体化されている。図４Ａは、提案される装置の正面図を示す。図４Ｂは、図４Ａの中心線１０１に沿っての断面の図を示す。
【００５３】
前記実施態様は、次に述べる部品を含有する：（１）金属、合金またはプラスチック製品またはそれらの組合わせでできた収納本体４１；（２）肌と一以上の電極４３で接触して電気の電圧および電流を目標肌領域に生じさせるためのガルバニック肌処置ヘッド４２；（３）電気の電圧または電流を発生する電圧または電流ドライバー４６；（４）液体、ゲル、クリーム、ペーストおよび粉末であることができるが、しかしそれらに限定されない試料４９を含有するディスペンサー４４と集合的に呼ばれる、肌処置試料容器およびディスペンサー；（５）電極４３が存する処置ヘッド４２の表面に存在している試料出口４５、試料出口４５を通って、肌処置試料４９は、肌と肌処置中に接触がある予定である電極４３の一以上に近くまたは、好ましくは、直接にその上部にディスペンスされる；（６）電気的回路、電子式部品および必要な埋め込まれたソフトウェアを含有している電子式制御ユニット４７は、収納本体４１の内に存在する；および（７）電極４３によって肌に発揮される電圧または電流は電子式制御ユニットによって制御することができるように電圧または電流ドライバー４６と電子式制御ユニット４７との間に位置付けられる電気的インターフェース４８。
【００５４】
電子式制御ユニット４７は、電極４３を電圧または電流ドライバー４６で制御し、そしてまた使用者インターフェース、電源および充電機能を与えてもさしつかえない。そのうえに、電子式制御ユニット４７は、必要とされる肌処置手順をディスペンサー４４の電気的接触４４１と接続する別の電気的インターフェース４４０を通して達成するために電気的信号を試料ディスペンサー４４へ送るまたは電気的信号を試料ディスペンサー４４から受け取ってもさしつかえない。。
【００５５】
ディスペンサー４４は、下記特徴のうちの何れを持っていてもさしつかえない：（１）ディスペンサー４４は取外し可能である、すなわち、使用者によって取り出されて収納本体４１の中に据え付け戻されてもさしつかえない；（２）試料４９は、ディスペンサー４４の内に使用者によって試料の消耗のあとに肌美化プロセス中に補充されてもさしつかえない、すなわちディスペンサー４４は、再使用されてもさしつかえない；（３）ディスペンサー４４は使い捨てのそしてただ一回使用のためだけのものであってもさしつかえない、そしてそこに試料４９はディスペンサーの内に使用よりも前にあらかじめいっぱいにされる；（４）ディスペンサー４４は、ディスペンサーは含有される試料をディスペンスするように個々に選択することができるように、同じまたは異なった試料を含有している複数のディスペンサー４４として構成されてもさしつかえない；（５）ディスペンサー４４は、前記ディスペンサーの内にある各区分室は個々に選択して試料をディスペンスすることができるように、同じまたは異なった試料を含有してもさしつかえない複数の試料区分室を持った単一のディスペンサーとして構成されてもさしつかえない；（６）試料４９のディスペンシングは手作業で発揮されるディスペンサーへの力によって果たされ、そしてそれに基づいてディスペンサーの部分である圧力発生部品、たとえばリード、レバー、ゲージ、キャップ、ピストン、または伸縮するポーチ、は試料４９に強いてディスペンサーの外へ出口４５を通って流れさせる；（７）試料４９のディスペンシングは、ディスペンサーの部分であって収納４１本体の内に位置付けられる電気的インターフェース４４０によって操作される電気的に駆動される伝動機構によって果たされる；（８）試料４９のディスペンシングは、前記装置の部分であって制御ユニット４７によって電気的に制御される電気的に駆動される伝動機構によって果たされる。前記伝動機構は、試料４９に強いてディスペンサーの外へ出口４５を通って流れさせる。
【００５６】
ディスペンサー４４はまた、ディスペンサー４４の内にある埋め込まれた試料ディスペンシングまたはレリーシング機構を包含してもさしつかえない。前記埋め込まれた試料ディスペンシングまたはレリーシング機構は、電子式制御ユニット４７によって電気的インターフェース４４０およびディスペンサー４４の中に埋め込まれたさまざまな電気的接触４４１を通して制御される。
【００５７】
ディスペンサー４４はまた、埋め込まれたメモリーまたはデータ格納装置を、つぎのようなしかしそれらに限定されない情報を格納するために包含してもさしつかえない：（１）試料ブランド、名前、タイプ、オリジナル、成分、製造日および失効日、前記ディスペンサーの内にある試料レベルならびに発注情報のようなしかしそれらに限定されない、前記ディスペンサーの内に含有される試料の前記情報；（２）タイミング、電圧または電流タイプ（ＤＣまたはＡＣ）、電圧または電流レベル、電圧または電流の時間的な波形、および電極４３によって肌に適用される電圧または電流の周波数、のようなしかしそれらに限定されない、ディスペンサー４４の中に含有される試料４９が使用される予定である時に制御エレクトロニクス４７を通して最適なまたはあらかじめ調節される電極４３の操作上の態様の前記情報；（３）各異なったディスペンサーまたは各異なった区分室からの試料塗布のタイミング、各異なったディスペンサーまたは各異なった区分室からディスペンスされる予定である試料の量、のようなしかしそれらに限定されない、異なったディスペンサー４４または単一のディスペンサーの内にある相違試料区分室の最適なまたはあらかじめ調節される操作上の態様の前記情報；（４）前記装置、前記ディスペンサーおよび試料の履歴的な使用データの前記情報；（５）使用者によって作成されるまたは入力される前記情報；および（６）使用者の前記人名情報。
【００５８】
電子式制御ユニット４７は、視覚の、肌接触のまたは音の効果を通して情報を使用者に表示するためにディスペンサー４４の中に格納されたデータを受け取ってもさしつかえない。
【００５９】
電子式制御ユニット４７は、前記当該データの中に格納された情報によって決定される特定の方法で電極４３を操作するためにディスペンサー４４の中に格納されたデータを受け取ってもさしつかえない。
【００６０】
制御ユニット４７はまた、装置操作データ、使用者肌情報データ、使用者個人用および生体認証情報、ディスペンサー識別データのような、しかしそれらに限定されない、情報を格納するために別の埋め込まれたメモリーまたはデータ格納装置を備えてもさしつかえない。このような格納される情報は、必要に応じアップデートされてもさしつかえない。制御ユニット４７はまた、電圧または電流ドライバー４６はもちろん、ディスペンサー４４からの試料ディスペンシングを操作しそして制御するために制御ユニット４７およびディスペンサー４４の中に格納された全部の情報を利用する埋め込まれたプログラムを含有してもさしつかえない。このような埋め込まれたプログラムはまた、いっそうよい機能のためにアップデートされてもさしつかえない。
【００６１】
電子式制御ユニット４７は、ディスペンサー４４の中に格納される予定であるデータを送ってもさしつかえない
ディスペンサー４４は製造業によって取り戻されてもさしつかえなくそしてディスペンサー４４の内に格納されたデータは再取出しされてもさしつかえない。
【００６２】
図４Ａおよび４Ｂは収納本体４１の内に存しているディスペンサー４４を示すが、実際問題としてディスペンサー４４はまた外部的に収納本体４１に取りつけられてもさしつかえない。しかしながら、取りつけられた時に、化粧水４９はそれでも収納本体４１について内側から外側へ接続する導管を通って最後に出口４５を通ってディスペンスされる。だから、取りつけられたディスペンサー４４はそれでも、前記装置の一体式部分として機能する。
【００６３】
第五の実施態様
図５Ａおよび図５Ｂは目下の発明の第五の好ましい実施態様を説明し、そしてそこに試料ディスペンサーは電気的に駆動される肌処置のための光照射装置の内に一体化されている。図５Ａは、提案される装置の正面図を示す。図５Ｂは、図５Ａの中心線１０１に沿っての断面の図を示す。
【００６４】
前記実施態様は、次に述べる部品を含有する：（１）金属、合金またはプラスチック製品またはそれらの組合わせでできた収納本体５１；（２）肌を光制御器５６によって駆動される一以上の点灯ユニット５３によって発生される光照射で処置するための点灯ハウジング５２；（３）液体、ゲル、クリーム、ペーストおよび粉末であることができるが、しかしそれらに限定されない試料５９を含有するディスペンサー５４と集合的に呼ばれる、肌処置試料容器およびディスペンサー；（４）点灯ユニット５３が存する点灯ハウジング５２の表面に存在している試料出口５５、出口５５を通って、肌処置試料５９は、ハウジングユニットの表面にか、または直接に処置される肌領域の上へかディスペンスされる；（５）電気的回路、電子式部品および必要な埋め込まれたソフトウェアを含有している電子式制御ユニット５７は、収納本体５１の内に存在する；および（６）点灯ユニット５３からの光放出は電子式制御ユニット５７によって制御することができるように光制御器５６と電子式制御ユニット５７との間に位置付けられる電気的インターフェース５８。
【００６５】
電子式制御ユニット５７は、点灯ユニット５３を点灯制御器５６を経て制御する。それはまた、使用者インターフェース、電源および充電機能を与えてもさしつかえない。そのうえに、電子式制御ユニット５７は、必要とされる肌処置手順をディスペンサー５４の電気的接触５４１と接続する別の電気的インターフェース５４０を通して達成するために電気的信号を試料ディスペンサー５４へ送るまたは電気的信号を試料ディスペンサー５４から受け取ってもさしつかえない。
【００６６】
ディスペンサー５４は、下記特徴のうちの何れを持っていてもさしつかえない：（１）ディスペンサー５４は取外し可能である、すなわち、それは使用者によって取り出されて収納本体５１の中に据え付け戻されてもさしつかえない；（２）試料５９は、ディスペンサー５４の内に使用者によって試料の消耗のあとに肌美化プロセス中に補充されてもさしつかえない、すなわちディスペンサー５４は、再使用されてもさしつかえない；（３）ディスペンサー５４は使い捨てのそしてただ一回使用のためだけのものであってもさしつかえない、そしてそこに試料５９はディスペンサーの内に使用よりも前にあらかじめいっぱいにされる；（４）ディスペンサー５４は、前記ディスペンサーは含有される試料をディスペンスするように個々に選択することができるように、同じまたは異なった試料を含有している複数のディスペンサーとして構成されてもさしつかえない；（５）ディスペンサー５４は、前記ディスペンサーの内にある各区分室は個々に選択して試料をディスペンスすることができるように、同じまたは異なった試料を含有してもさしつかえない複数の試料区分室を持った単一のディスペンサーとして構成されてもさしつかえない；（６）試料５９のディスペンシングは手作業で発揮されるディスペンサーへの力によって果たされ、そしてそれに基づいてディスペンサーの部分である圧力発生部品、たとえばリード、レバー、ゲージ、キャップ、ピストン、または伸縮するポーチ、は試料５９に強いてディスペンサーの外へ出口５５を通って流れさせる；（７）試料５９のディスペンシングは、ディスペンサーの部分であって収納５１本体の内に位置付けられる電気的インターフェース５４０によって操作される電気的に駆動される伝動機構によって果たされる；（８）試料５９のディスペンシングは前記装置の部分であって制御ユニット５７によって電気的に制御される電気的に駆動される伝動機構によって果たされる、そしてそこに前記伝動機構は試料５９に強いてディスペンサーの外へ出口５５を通って流れさせる。
【００６７】
ディスペンサー５４はまた、電子式制御ユニット５７によって電気的インターフェース５４０およびディスペンサー５４の中に埋め込まれたさまざまな電気的接触５４１を通して制御される試料ディスペンシングまたはレリーシング機構を包含してもさしつかえない。
【００６８】
ディスペンサー５４はまた、つぎのようなしかしそれらに限定されない、情報を格納してもさしつかえないディスペンサー５４の中に埋め込まれたメモリーまたはデータ格納装置を包含してもさしつかえない：（１）試料ブランド、名前、タイプ、オリジナル、成分、製造日および失効日、前記ディスペンサーの内にある試料レベルならびに発注情報、のようなしかしそれらに限定されない前記ディスペンサーの内に含有される試料の前記情報；（２）タイミング、光パワー、光持続時間、光波長および点灯ユニット５３によって放出される異なった点灯スキームのシーケンス、のようなしかしそれらに限定されない、ディスペンサー５４の中に含有される試料５９が使用される予定である時に制御エレクトロニクス５７を通して最適なまたはあらかじめ調節される点灯ユニット５３の操作上の態様の前記情報；（３）各異なったディスペンサーまたは各異なった区分室からの試料塗布のタイミング、各異なったディスペンサーまたは各異なった区分室からディスペンスされる予定である試料の量、のようなしかしそれらに限定されない、異なったディスペンサー５４または単一のディスペンサーの内にある相違試料区分室の最適なまたはあらかじめ調節される操作上の態様の前記情報；（４）前記装置、前記ディスペンサーおよび試料の履歴的な使用データの前記情報；（５）使用者によって作成されるまたは入力される前記情報；（６）使用者の前記人名情報。
【００６９】
電子式制御ユニット５７は、視覚の、肌接触のまたは音の効果を通して情報を使用者に表示するためにディスペンサー５４の中に格納されたデータを受け取ってもさしつかえない。
【００７０】
電子式制御５７はまた、前記当該データの中に格納された情報によって決定される特定の方法で点灯ユニット５３を操作するためにディスペンサー５４の中に格納されたデータを受け取ってもさしつかえない。
【００７１】
電子式制御５７はまた、ディスペンサー５４の中に格納される予定であるデータを送ってもさしつかえない。
【００７２】
制御ユニット５７はまた、装置操作データ、使用者肌情報データ、使用者個人用および生体認証情報、ディスペンサー識別データのような、しかしそれらに限定されない、情報を格納するために別の埋め込まれたメモリーまたはデータ格納装置を備えてもさしつかえない。このような格納される情報は、必要に応じアップデートされてもさしつかえない。制御ユニット５７はまた、点灯制御器５６はもちろん、ディスペンサー５４からの試料ディスペンシングを操作しそして制御するために制御ユニット５７およびディスペンサー５４の中に格納された全部の情報を利用する埋め込まれたプログラムを含有してもさしつかえない。このような埋め込まれたプログラムはまた、いっそうよい機能のためにアップデートされてもさしつかえない。
【００７３】
電子式制御ユニット５７は、ディスペンサー５４の中に格納される予定であるデータを送ってもさしつかえない
ディスペンサー５４は製造業によって取り戻されてもさしつかえなくそしてディスペンサー５４の内に格納された前記データは再取出しされてもさしつかえない。
【００７４】
図５Ａおよび５Ｂは収納本体５１の内に存しているディスペンサー５４を示すが、実際問題としてディスペンサー５４はまた外部的に収納本体５１に取りつけられてもさしつかえない。しかしながら、取りつけられた時に、化粧水５９はそれでも収納本体５１について内側から外側へ接続する導管を通って最後に出口５５を通ってディスペンスされる。だから、取りつけられたディスペンサー５４はそれでも、前記装置の一体式部分として機能する。
【００７５】
本発明は、おびただしい長所を先行技術にまさって持っている。たとえば：（１）さまざまな電子式肌処置装置とともの一体型の試料ディスペンサーは、肌処置プロセスの携帯性および適応性を高める；（２）電気的インターフェースとともの一体型の試料ディスペンサーは、前記ディスペンサーまたは制御ユニットの内にある埋め込まれたメモリーと共に、さまざまな電子式装置のカスタマイズ性に、処置の点で合成される個人的にされた肌手入れ製品を包含して各個々の自身の肌手入れ要求に特定である処置方法を与えることを可能にさせる；そして（３）製品情報を含有している一体型のディスペンサー、操作の最良の態様、あらかじめ調節される美化プロセスおよび使用データとともに、前記装置は、肌美化プロセスの積極的な効果を大いに増し、使用者の操作の複雑さを減らして使用者から製造業への肌手入れ製品についてのもっと程度の進んだ改良のためのフィードバックの手段を与える。
【００７６】
本発明の一以上の実施態様が上に説明されたと同時に、当業者はそれらの実施態様に対しての変更および採用が本発明の範囲および精神からはずれずにされてもさしつかえないということを認識するだろう。
【図１】
2012183306.tif 000003
【図２】
2012183306.tif 000004
【図３】
2012183306.tif 000005
【図４】
2012183306.tif 000006
【図５】
2012183306.tif 000007
【図６（Ａ）】
2012183306.tif 000008
【図６（Ｂ）】
2012183306.tif 000009
【図６（Ｃ）】
2012183306.tif 000010
【外国語明細書】
2012183306000001.pdf